(57)【特許請求の範囲】
【請求項１】
動脈側血液回路及び静脈側血液回路から成るとともに、当該動脈側血液回路の先端から静脈側血液回路の先端まで患者の血液を体外循環させ得る血液回路と、
該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成され、当該血液流路及び透析液流路に予め充填液が充填されて成る血液浄化手段と、
前記動脈側血液回路に配設された血液ポンプと、
前記動脈側血液回路と連結され、血液回路内にプライミング液を供給し得るプライミング液供給ラインと、
該血液浄化手段の透析液流路入口及び出口に接続された透析液導入ライン及び透析液排出ラインと、
前記血液浄化手段の両端にそれぞれ形成され、前記動脈側血液回路と接続されて血液流路に血液を導入する血液導入口、及び前記静脈側血液回路と接続されて血液回路から血液を導出する血液導出口と、
前記血液浄化手段の側面にそれぞれ形成され、前記透析液導入ラインと接続されて透析液流路に透析液を導入する透析液導入口、及び前記透析液排出ラインと接続されて透析液流路から透析液を導出する透析液導出口と、
を具備した血液浄化装置において、
治療前のプライミング時、前記動脈側血液回路先端と静脈側血液回路先端とを接続して連通可能とされるとともに、前記血液回路の何れかの部位に形成されて内部の空気を排出可能な排出口を具備し、且つ、
前記血液浄化手段の血液導入口が上方を向いた状態で、当該血液浄化手段の血液流路に充填された充填液を当該血液導入口を介して動脈側血液回路側に導くとともに、その充填液又は該充填液を含む液体で、少なくとも動脈側血液回路における前記プライミング液供給ラインと前記動脈側血液回路との連結部から当該血液浄化手段の血液導入口までの間を満たす第１プライミング工程と、
前記血液浄化手段の血液導入口が上方を向いた状態を維持しつつ前記血液ポンプを正転駆動させ、前記プライミング液供給ラインからのプライミング液を血液回路に導く第２プライミング工程と、
前記血液浄化手段の血液導入口が上方を向いた状態を維持しつつ前記プライミング液供給ラインからのプライミング液を前記動脈側血液回路先端と静脈側血液回路先端との接続部を介して当該静脈側血液回路に導いて充填させる充填工程と、
前記血液浄化手段の血液導入口が上方を向いた状態を維持しつつ前記プライミング液供給ラインからのプライミング液を前記血液浄化手段の透析液流路に導いて充填させるガスパージ工程と、
が行われることを特徴とする血液浄化装置。
【請求項２】
前記動脈側血液回路の途中に動脈側ドリップチャンバが接続されるとともに、前記排出口が当該動脈側ドリップチャンバから延設されたオーバーフローラインに形成されたことを特徴とする請求項１記載の血液浄化装置。
【請求項３】
前記動脈側ドリップチャンバから延設されたオーバーフローラインの流路を任意開閉可能な弁手段を具備したことを特徴とする請求項２記載の血液浄化装置。
【請求項４】
動脈側血液回路及び静脈側血液回路から成るとともに、当該動脈側血液回路の先端から静脈側血液回路の先端まで患者の血液を体外循環させ得る血液回路と、
該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成され、当該血液流路及び透析液流路に予め充填液が充填されて成る血液浄化手段と、
前記動脈側血液回路に配設された血液ポンプと、
前記動脈側血液回路と連結され、血液回路内にプライミング液を供給し得るプライミング液供給ラインと、
該血液浄化手段の透析液流路入口及び出口に接続された透析液導入ライン及び透析液排出ラインと、
前記血液浄化手段の両端にそれぞれ形成され、前記動脈側血液回路と接続されて血液流路に血液を導入する血液導入口、及び前記静脈側血液回路と接続されて血液回路から血液を導出する血液導出口と、
前記血液浄化手段の側面にそれぞれ形成され、前記透析液導入ラインと接続されて透析液流路に透析液を導入する透析液導入口、及び前記透析液排出ラインと接続されて透析液流路から透析液を導出する透析液導出口と、
を具備した血液浄化装置のプライミング方法において、
治療前のプライミング時、前記動脈側血液回路先端と静脈側血液回路先端とを接続して連通可能とされるとともに、前記血液回路の何れかの部位に形成されて内部の空気を排出可能な排出口を具備し、且つ、
前記血液浄化手段の血液導入口が上方を向いた状態で、当該血液浄化手段の血液流路に充填された充填液を当該血液導入口を介して動脈側血液回路側に導くとともに、その充填液又は該充填液を含む液体で、少なくとも動脈側血液回路における前記プライミング液供給ラインと前記動脈側血液回路との連結部から当該血液浄化手段の血液導入口までの間を満たす第１プライミング工程と、
前記血液浄化手段の血液導入口が上方を向いた状態を維持しつつ前記血液ポンプを正転駆動させ、前記プライミング液供給ラインからのプライミング液を血液回路に導く第２プライミング工程と、
前記血液浄化手段の血液導入口が上方を向いた状態を維持しつつ前記プライミング液供給ラインからのプライミング液を前記動脈側血液回路先端と静脈側血液回路先端との接続部を介して当該静脈側血液回路に導いて充填させる充填工程と、
前記血液浄化手段の血液導入口が上方を向いた状態を維持しつつ前記プライミング液供給ラインからのプライミング液を前記血液浄化手段の透析液流路に導いて充填させるガスパージ工程と、
が行われることを特徴とする血液浄化装置のプライミング方法。
【請求項５】
前記動脈側血液回路の途中に動脈側ドリップチャンバが接続されるとともに、前記排出口が当該動脈側ドリップチャンバから延設されたオーバーフローラインに形成されたことを特徴とする請求項４記載の血液浄化装置のプライミング方法。
【請求項６】
前記動脈側ドリップチャンバから延設されたオーバーフローラインの流路を任意開閉可能な弁手段を具備したことを特徴とする請求項５記載の血液浄化装置のプライミング方法。
【発明の詳細な説明】
【技術分野】
【０００１】
本発明は、ダイアライザを使用した透析治療など、患者の血液を体外循環させつつ浄化するための血液浄化装置及びそのプライミング方法に関するものである。
【背景技術】
【０００２】
一般に、透析治療時においては、採取した患者の血液を体外循環させて再び体内に戻すための血液回路が用いられており、かかる血液回路は、例えば中空糸膜を具備したダイアライザ（血液浄化手段）と接続し得る動脈側血液回路及び静脈側血液回路から主に構成されている。これら動脈側血液回路及び静脈側血液回路の各先端には、動脈側穿刺針及び静脈側穿刺針が取り付けられ、それぞれが患者に穿刺されて透析治療における血液の体外循環が行われることとなる。
【０００３】
このうち、動脈側血液回路には、しごき型の血液ポンプが配設されており、当該血液ポンプを駆動させることにより患者の体内から血液をダイアライザ側に送り込む一方、動脈側血液回路及び静脈側血液回路には、動脈側ドリップチャンバ及び静脈側ドリップチャンバが接続されており、除泡した後に患者の体内に血液が戻されるようになっている。
【０００４】
また、動脈側血液回路における血液ポンプより上流側（即ち、動脈側穿刺針側）には、プライミングや返血時等に生理食塩水を供給するためのプライミング液供給ライン（生理食塩水ライン）がＴ字管等を介して接続されており、透析治療前に、血液回路や該血液回路に接続されたドリップチャンバ等構成要素に生理食塩水を流し充填させてプライミングを行うとともに、透析治療後に血液回路などに残留した残留血液と生理食塩水とを置換して、当該残留血液を患者に戻すことにより返血を行うよう構成されている。尚、プライミング液供給ラインを具備した透析装置は、例えば特許文献１に開示されている。
【０００５】
特に、プライミング作業について図１４及び図１５を用いて具体的に説明する。図中符号１０３は、血液浄化手段としてのダイアライザを示しており、その内部には患者の血液を流通させる血液流路と、透析液を流通させる透析液流路とが形成されている。然るに、血液流路の両端には、血液ポンプ１０４が配設される動脈側血液回路１０１と接続されて血液を導入する血液導入口ａと、静脈側血液回路１０２と接続されて血液を導出する血液導出口ｂとが形成されるとともに、透析液流路の両端には、透析液導入ライン１０７と接続されて透析液を導入する透析液導入口ｃと、透析液排出ライン１０８と接続されて透析液を導出する透析液導出口ｄとが形成されている。
【０００６】
透析治療前においては、血液ポンプを駆動させることにより生食バッグ１０５内の生理食塩水（プライミング液）をプライミング液供給ライン１０６を介して動脈側血液回路１０１に供給する。このとき、血液導出口ｂが上方を向くようにしてダイアライザ１０３を設置し、血液導入口ａから導入された生理食塩水を血液導出口ｂから導出させることにより、当該ダイアライザ１０３内の血液流路及び血液回路に生理食塩水を流通させつつ充填させる（図１４参照）。
【０００７】
その後、プライミング液供給ライン１０６をクランプしつつダイアライザ１０３の上下を反転させ、血液導入口ａが上方を向くようにして当該ダイアライザ１０３を設置する（図１５参照）。然る後、透析液導入ライン１０７から透析液を導入し、透析液流路を流通させた後、透析液排出ライン１０８から排出させつつ当該透析液流路に充填させる。これにより、血液流路に続き透析液流路側のプライミングがなされることとなる。
【０００８】
即ち、血液流路を生理食塩水にてプライミングするにあたり当該血液流路内の気泡は上方に向かって移動するため、血液導出口ｂを上方に向けておき、静脈側血液回路１０２側へ導き出すことにより気泡抜きを行う必要があるのに対し、その状態で透析流路を透析液にてプライミングしようとした場合、透析液が上方から下方に向かって流れ、気泡の移動方向とは逆向きとなるため、上下を反転させて透析液を下方から上方に向かって流すことにより、気泡のスムーズな移動を確保してより確実な気泡抜きを可能としているのである。
【特許文献１】特開２０００−９３４４９号公報
【発明の開示】
【発明が解決しようとする課題】
【０００９】
しかしながら、上記従来の血液浄化装置においては、血液流路側のプライミング後、透析液流路側のプライミングを行う前に、ダイアライザ１０３を上下反転させる必要があるため、プライミング工程（及びそれに続く治療工程を含む）を自動化させることが困難となってしまうという問題があった。即ち、ダイアライザの上下反転を行うには、作業者が手作業にて行う必要があるため、これを含めて自動化させるには困難性を伴ってしまうのである。
【００１０】
また、血液流路及び透析液流路に予め充填液（ＲＯ水や純水等）が充填されている所謂ウェットタイプのダイアライザにおいては、プライミング時、充填液で満たされた血液流路（中空糸など極めて細い流路の内部）に空気が導かれてしまい、その空気を除去するのが容易でないという問題があった。即ち、ウェットタイプのダイアライザを用いた場合、予め充填液が封入されているため、少なくとも血液流路側に空気が導入されないようにすればプライミング作業を素早く且つ簡単に行わせることができるのであるが、プライミング時、プライミング液が導入されるのに先行して血液回路内に存在する空気が血液流路側に吸い込まれてしまっていたのである。
【００１１】
本発明は、このような事情に鑑みてなされたもので、プライミング工程を容易に自動化させることができるとともに、予め充填液が充填されたウェットタイプの血液浄化手段を用いた場合において、プライミング時、血液流路側に空気が混入してしまうのを回避することができる血液浄化装置及びそのプライミング方法を提供することにある。
【課題を解決するための手段】
【００１２】
請求項１記載の発明は、動脈側血液回路及び静脈側血液回路から成るとともに、当該動脈側血液回路の先端から静脈側血液回路の先端まで患者の血液を体外循環させ得る血液回路と、該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成され、当該血液流路及び透析液流路に予め充填液が充填されて成る血液浄化手段と、前記動脈側血液回路に配設された血液ポンプと、前記動脈側血液回路と連結され、血液回路内にプライミング液を供給し得るプライミング液供給ラインと、該血液浄化手段の透析液流路入口及び出口に接続された透析液導入ライン及び透析液排出ラインと、前記血液浄化手段の両端にそれぞれ形成され、前記動脈側血液回路と接続されて血液流路に血液を導入する血液導入口、及び前記静脈側血液回路と接続されて血液回路から血液を導出する血液導出口と、前記血液浄化手段の側面にそれぞれ形成され、前記透析液導入ラインと接続されて透析液流路に透析液を導入する透析液導入口、及び前記透析液排出ラインと接続されて透析液流路から透析液を導出する透析液導出口とを具備した血液浄化装置において、治療前のプライミング時、前記動脈側血液回路先端と静脈側血液回路先端とを接続して連通可能とされるとともに、前記血液回路の何れかの部位に形成されて内部の空気を排出可能な排出口を具備し、且つ、前記血液浄化手段の血液導入口が上方を向いた状態で、当該血液浄化手段の血液流路に充填された充填液を当該血液導入口を介して動脈側血液回路側に導くとともに、その充填液又は該充填液を含む液体で、少なくとも動脈側血液回路における前記プライミング液供給ラインと前記動脈側血液回路との連結部から当該血液浄化手段の血液導入口までの間を満たす第１プライミング工程と、前記血液浄化手段の血液導入口が上方を向いた状態を維持しつつ前記血液ポンプを正転駆動させ、前記プライミング液供給ラインからのプライミング液を血液回路に導く第２プライミング工程と、前記血液浄化手段の血液導入口が上方を向いた状態を維持しつつ前記プライミング液供給ラインからのプライミング液を前記動脈側血液回路先端と静脈側血液回路先端との接続部を介して当該静脈側血液回路に導いて充填させる充填工程と、前記血液浄化手段の血液導入口が上方を向いた状態を維持しつつ前記プライミング液供給ラインからのプライミング液を前記血液浄化手段の透析液流路に導いて充填させるガスパージ工程とが行われることを特徴とする。
【００１３】
請求項２記載の発明は、請求項１記載の血液浄化装置において、前記動脈側血液回路の途中に動脈側ドリップチャンバが接続されるとともに、前記排出口が当該動脈側ドリップチャンバから延設されたオーバーフローラインに形成されたことを特徴とする。
【００１４】
請求項３記載の発明は、請求項２記載の血液浄化装置において、前記動脈側ドリップチャンバから延設されたオーバーフローラインの流路を任意開閉可能な弁手段を具備したことを特徴とする。
【００１５】
請求項４記載の発明は、動脈側血液回路及び静脈側血液回路から成るとともに、当該動脈側血液回路の先端から静脈側血液回路の先端まで患者の血液を体外循環させ得る血液回路と、該血液回路の動脈側血液回路及び静脈側血液回路の間に介装されて当該血液回路を流れる血液を浄化するとともに、血液を浄化するための血液浄化膜を介して患者の血液が流れる血液流路及び透析液が流れる透析液流路が形成され、当該血液流路及び透析液流路に予め充填液が充填されて成る血液浄化手段と、前記動脈側血液回路に配設された血液ポンプと、前記動脈側血液回路と連結され、血液回路内にプライミング液を供給し得るプライミング液供給ラインと、該血液浄化手段の透析液流路入口及び出口に接続された透析液導入ライン及び透析液排出ラインと、前記血液浄化手段の両端にそれぞれ形成され、前記動脈側血液回路と接続されて血液流路に血液を導入する血液導入口、及び前記静脈側血液回路と接続されて血液回路から血液を導出する血液導出口と、前記血液浄化手段の側面にそれぞれ形成され、前記透析液導入ラインと接続されて透析液流路に透析液を導入する透析液導入口、及び前記透析液排出ラインと接続されて透析液流路から透析液を導出する透析液導出口とを具備した血液浄化装置のプライミング方法において、治療前のプライミング時、前記動脈側血液回路先端と静脈側血液回路先端とを接続して連通可能とされるとともに、前記血液回路の何れかの部位に形成されて内部の空気を排出可能な排出口を具備し、且つ、前記血液浄化手段の血液導入口が上方を向いた状態で、当該血液浄化手段の血液流路に充填された充填液を当該血液導入口を介して動脈側血液回路側に導くとともに、その充填液又は該充填液を含む液体で、少なくとも動脈側血液回路における前記プライミング液供給ラインと前記動脈側血液回路との連結部から当該血液浄化手段の血液導入口までの間を満たす第１プライミング工程と、前記血液浄化手段の血液導入口が上方を向いた状態を維持しつつ前記血液ポンプを正転駆動させ、前記プライミング液供給ラインからのプライミング液を血液回路に導く第２プライミング工程と、前記血液浄化手段の血液導入口が上方を向いた状態を維持しつつ前記プライミング液供給ラインからのプライミング液を前記動脈側血液回路先端と静脈側血液回路先端との接続部を介して当該静脈側血液回路に導いて充填させる充填工程と、前記血液浄化手段の血液導入口が上方を向いた状態を維持しつつ前記プライミング液供給ラインからのプライミング液を前記血液浄化手段の透析液流路に導いて充填させるガスパージ工程とが行われることを特徴とする。
【００１６】
請求項５記載の発明は、請求項４記載の血液浄化装置のプライミング方法において、前記動脈側血液回路の途中に動脈側ドリップチャンバが接続されるとともに、前記排出口が当該動脈側ドリップチャンバから延設されたオーバーフローラインに形成されたことを特徴とする。
【００１７】
請求項６記載の発明は、請求項５記載の血液浄化装置のプライミング方法において、前記動脈側ドリップチャンバから延設されたオーバーフローラインの流路を任意開閉可能な弁手段を具備したことを特徴とする。
【発明の効果】
【００１８】
請求項１、４の発明によれば、血液浄化手段の血液導入口が上方を向いた状態で第１プライミング工程、第２プライミング工程、充填工程及びガスパージ工程が行われるため、当該血液浄化手段の上下反転作業を廃止してプライミング工程を容易に自動化させることができるとともに、少なくとも動脈側血液回路におけるプライミング液供給ラインと動脈側血液回路との連結部から当該血液浄化手段の血液導入口までの間を満たす第１プライミング工程を経た後、プライミング液供給ラインからのプライミング液を血液回路に導く第２プライミング工程が行われるので、プライミング時、血液流路側に空気が混入してしまうのを回避することができる。
【００１９】
請求項２、５の発明によれば、動脈側血液回路の途中に動脈側ドリップチャンバが接続されるとともに、血液回路の何れかの部位に形成されて内部の空気を排出可能な排出口が当該動脈側ドリップチャンバから延設されたオーバーフローラインに形成されたので、動脈側ドリップチャンバを有した既存の血液回路をほぼそのまま流用して本発明に係る血液浄化装置とすることができる。
【００２０】
請求項３、６の発明によれば、動脈側ドリップチャンバから延設されたオーバーフローラインの流路を任意開閉可能な弁手段を具備したので、排出口からの空気の排出を任意タイミングで行わせることができる。また、例えばプライミングが終了した後において気泡が血液浄化手段の血液導入口近傍に残存している場合であっても、当該弁手段を開状態としつつプライミング液供給ラインからプライミング液を供給すれば、当該残存した気泡を容易に排出させることができる。
【発明を実施するための最良の形態】
【００２１】
以下、本発明の実施形態について図面を参照しながら具体的に説明する。
本実施形態に係る血液浄化装置は、透析治療を行うための透析装置から成り、図１に示すように、動脈側血液回路１及び静脈側血液回路２から成る血液回路と、動脈側血液回路１及び静脈側血液回路２の間に介装されて血液回路を流れる血液を浄化するダイアライザ３（血液浄化手段）と、動脈側血液回路１に配設されたしごき型の血液ポンプ４と、静脈側血液回路１及び静脈側血液回路２にそれぞれ配設された動脈側ドリップチャンバ５及び静脈側ドリップチャンバ６と、プライミング液としての生理食塩水を収容した収容手段７と、該収容手段７と動脈側血液回路１とを連結したプライミング液供給ラインＬｃとから主に構成されている。
【００２２】
動脈側血液回路１には、その先端にコネクタｃを介して動脈側穿刺針ａが接続されるとともに、途中にしごき型の血液ポンプ４及び除泡のための動脈側ドリップチャンバ５が配設されている一方、静脈側血液回路２には、その先端にコネクタｄを介して静脈側穿刺針ｂが接続されるとともに、途中に静脈側ドリップチャンバ６が接続されている。そして、動脈側穿刺針ａ及び静脈側穿刺針ｂを患者に穿刺した状態で、血液ポンプ４を駆動させると、患者の血液は、動脈側血液回路１を通ってダイアライザ３に至った後、該ダイアライザ３によって血液浄化が施され、静脈側ドリップチャンバ６で除泡がなされつつ静脈側血液回路２を通って患者の体内に戻る。即ち、患者の血液を血液回路の動脈側血液回路１の先端から静脈側血液回路２の先端まで体外循環させつつダイアライザ３にて浄化するのである。
【００２３】
然るに、動脈側ドリップチャンバ５及び静脈側ドリップチャンバ６には、各上部（空気層側）からオーバーフローライン８、９が延びており、各オーバーフローライン８、９には、それぞれ電磁弁Ｖ３、Ｖ４が配設されている。特に、動脈側ドリップチャンバ５から延びるオーバーフローライン８の先端の開口（大気開放された口）は、本発明の排出口（血液回路の何れかの部位に形成されて内部の空気を排出可能なもの）を成しており、その途中に配設された電磁弁Ｖ３は、本発明の弁手段（オーバーフローライン８の流路を任意開閉可能なもの）を成している。
【００２４】
ダイアライザ３は、その筐体部に、血液導入口３ａ（血液導入ポート）、血液導出口３ｂ（血液導出ポート）、透析液導入口３ｃ（透析液導入ポート）及び透析液導出口３ｄ（透析液導出ポート）が形成されており、このうち血液導入口３ａには動脈側血液回路１が、血液導出口３ｂには静脈側血液回路２がそれぞれ接続されている。また、透析液導入口３ｃ及び透析液導出口３ｄは、透析装置本体から延設された透析液導入ラインＬａ及び透析液排出ラインＬｂとそれぞれ接続されている。
【００２５】
ダイアライザ３内には、複数の中空糸が収容されており、この中空糸が血液を浄化するための血液浄化膜を構成している。而して、ダイアライザ３内には、血液浄化膜を介して患者の血液が流れる血液流路及び透析液が流れる透析液流路が形成されている。そして、血液浄化膜を構成する中空糸には、その外周面と内周面とを貫通した微小な孔（ポア）が多数形成されて中空糸膜を形成しており、該膜を介して血液中の不純物等が透析液内に透過し得るよう構成されている。尚、本実施形態で適用されるダイアライザ３は、その内部（血液流路及び透析液流路内）に充填液（ＲＯ水や純水等）が予め充填されたものである。
【００２６】
複式ポンプ（不図示）は、透析装置本体内で透析液導入ラインＬａ及び透析液排出ラインＬｂに跨って配設されているとともに、当該透析装置本体には、ダイアライザ３中を流れる患者の血液から水分を除去するための除水ポンプ（不図示）が配設されている。更に、透析液導入ラインＬａの一端がダイアライザ３（透析液導入口３ｃ）に接続されるとともに、他端が所定濃度の透析液を調製する透析液供給装置（不図示）に接続されている。また、透析液排出ラインＬｂの一端は、ダイアライザ３（透析液導出口３ｄ）に接続されるとともに、他端が図示しない排液手段と接続されており、透析液供給装置から供給された透析液が透析液導入ラインＬａを通ってダイアライザ３に至った後、透析液排出ラインＬｂを通って排液手段に送られるようになっている。
【００２７】
透析液導入ラインＬａの途中（複式ポンプとダイアライザ３との間）には、その流路を閉塞及び開放し得る電磁弁Ｖ６が接続されているとともに、透析液排出ラインＬｂの途中（複式ポンプとダイアライザ３との間）には、その流路を閉塞及び開放し得る電磁弁Ｖ５が接続されている。尚、動脈側血液回路１及び静脈側血液回路２の途中においても、それぞれの流路を閉塞及び開放し得る電磁弁Ｖ１、Ｖ７が接続されている。
【００２８】
これら電磁弁Ｖ１、Ｖ５及びＶ６（後述する電磁弁Ｖ２〜Ｖ４も同様）、Ｖ７は、上述のように開閉動作により、配設された各々の部位における流路を閉塞及び開放し得るものであり、その開閉動作がマイコン等の制御手段にて制御されるよう構成されている。即ち、制御手段は、上記の如く電磁弁Ｖ１、Ｖ５、Ｖ６及びＶ７の他、プライミング液供給ラインＬｃの途中に配設された電磁弁Ｖ２、動脈側ドリップチャンバ５の上部（空気層側）から延びたオーバーフローライン８の途中に配設された電磁弁Ｖ３、及び静脈側ドリップチャンバ６の上部（空気層側）から延びたオーバーフローライン９の途中に配設された電磁弁Ｖ４とも電気的に接続されており、その開閉動作が制御可能とされている。
【００２９】
収容手段７（所謂「生食バッグ」と称されるもの）は、可撓性の透明な容器から成り、生理食塩水（プライミング液）を所定容量収容し得るもので、例えば透析装置本体に突設されたポール（不図示）の先端に取り付けられている。プライミング液供給ラインＬｃは、動脈側血液回路１における動脈側穿刺針ａと動脈側ドリップチャンバ５の間の部位（連結部Ｐ）に接続され、収容手段７内の生理食塩水（プライミング液）を血液回路内に供給し得るものである。
【００３０】
ここで、本実施形態に係る透析装置（血液浄化装置）は、治療前のプライミング（生理食塩水等のプライミング液を血液の流路或いは透析液の流路で流して洗浄し、当該プライミング液を血液の流路或いは透析液の流路に予め満たしておく作業）時、動脈側血液回路１先端と静脈側血液回路２先端とを接続して連通（具体的には、コネクタｃとコネクタｄとを接続して互いの流路を連通）可能とされるとともに、既述のように、血液回路の何れかの部位（本実施形態においては動脈側ドリップチャンバ５）に形成されて内部の空気を排出可能なオーバーフローライン８（排出口）を具備している。
【００３１】
以下、本実施形態に係る透析装置で行われるプライミング工程について説明する。
プライミング時、図２に示すように、ダイアライザ３の血液導入口３ａが上方を向いた状態（図示しない固定手段により固定）とし、且つ、コネクタｃとコネクタｄとを接続して互いの流路を連通させた後、電磁弁Ｖ２、Ｖ３を開状態としつつ他の電磁弁（Ｖ１、Ｖ４〜Ｖ７）を閉状態とする。かかる状態にて血液ポンプ４を正転駆動させ、収容手段７内の生理食塩水（プライミング液）を動脈側ドリップチャンバ５内に導き、その上部から延設されたオーバーフローライン８から排出させる。この工程を、便宜上、「予プライミング工程」と呼ぶ。
【００３２】
予プライミング工程で動脈側血液回路１の血液ポンプ４部に生理食塩水を充填することで、第１プライミング工程におけるダイアライザ３内の充填液を血液回路内に導く動作が確実なものとなる。予プライミング工程に先行して第１プライミング工程を実施することも可能であるが、血液ポンプ４で専ら空気を吸い上げるのは非効率である。
【００３３】
その後、図３に示すように、電磁弁Ｖ５を開状態としつつ電磁弁Ｖ３を閉状態とするとともに、血液ポンプ４を逆転駆動させる（これを「第１プライミング工程」と呼ぶ）。これにより、ダイアライザ３における血液流路内の充填液（予め充填されたＲＯ水や純水等）が血液導入口３ａを介して動脈側血液回路１側に導かれるとともに、その充填液（厳密には充填液を含む生理食塩水）で、動脈側血液回路１におけるプライミング液供給ラインＬｃと当該動脈側血液回路１との連結部Ｐから当該ダイアライザ３の血液導入口３ａまでの間を満たす。
【００３４】
即ち、電磁弁Ｖ５が開状態とされて大気開放とされているので、血液ポンプ４を逆転駆動させると、ダイアライザ３における血液流路内の充填液が血液導入口３ａを介して動脈側血液回路１側へ吸い上げられるとともに、その代わりとして、ダイアライザ３における透析液流路の充填液が血液流路側へ供給されることとなる。尚、血液流路と透析液流路との間には透析膜（血液浄化膜）が介在しているので、血液流路側に空気が混入することはない。
【００３５】
然るに、上記の如き第１プライミング工程においては、ダイアライザ３における透析液流路の充填液が血液流路側へ供給されるので、ダイアライザ３の透析膜（血液浄化膜）の水透過性（ＵＦＲ）が低い場合は血液回路内の陰圧が大きくなってしまう。このような場合、陰圧状態を長く保持すると充填液中の溶存空気が微小気泡となって血液流路内に発生する可能性があるため、これを避けるべく第１プライミング工程直後はできるだけ速やかに陰圧部分を常圧乃至は陽圧に戻す方が好ましい。この目的で、血液ポンプ４を正転駆動させて陽圧バランス工程を必要に応じて行うことができる。
【００３６】
更に、第１プライミング工程においてダイアライザ３の血液導入口３ａに最初から存在した空気や血液導入口３ａから動脈側ドリップチャンバ５までの間の血液回路内の空気が動脈側ドリップチャンバ５にトラップされるので、陽圧バランス工程後、電磁弁Ｖ２及びＶ３を開状態とし、血液ポンプ４を正転させ、オーバーフローライン８を介して動脈側ドリップチャンバ５内の空気を排出する工程を設けてもよい。
【００３７】
次に、図４で示すように、血液ポンプ４を停止させるとともに、電磁弁Ｖ５を閉状態としつつ電磁弁Ｖ１、Ｖ７及びＶ４を開状態とする。而して、収容手段７内の生理食塩水（プライミング液）は、その落差により生じる自重（落差圧）で、同図に示すように、静脈側ドリップチャンバ６まで至り、その上部から延設されたオーバーフローライン９から排出されることとなる（これを「落差充填工程」と呼ぶ）。
【００３８】
その後、図５で示すように、ダイアライザ３の血液導入口３ａが上方を向いた状態を維持するとともに、電磁弁Ｖ１、Ｖ７を閉状態としつつ血液ポンプ４を正転駆動させる。これにより、収容手段７内の生理食塩水（プライミング液）がプライミング液供給ラインＬｃを介して血液回路内に導かれ、血液導入口３ａを介して血液流路内に至り、血液導出口３ｂを介して静脈側ドリップチャンバ６側へ導出される（これを「第２プライミング工程」と呼ぶ）。
【００３９】
このとき、動脈側血液回路１における連結部Ｐから当該ダイアライザ３の血液導入口３ａまでの間に充填液又は該充填液を含む液体が満たされているので、生理食塩水（プライミング液）がプライミング液供給ラインＬｃを介して血液回路内に導かれる際、ダイアライザ３の血液流路に空気が混入してしまうことが回避される。
【００４０】
尚、予プライミング工程（図２参照）及び落差充填工程（図４参照）においては、オーバーフローライン８、９から生理食塩水を排出しているため、動脈側ドリップチャンバ５及び静脈側ドリップチャンバ６の液面レベルを確保することができる。また、第１プライミング工程を経ることにより、ダイアライザ３内の充填液又は該充填液を含む液体で、少なくとも動脈側血液回路１におけるプライミング液供給ラインＬｃと動脈側血液回路１との連結部Ｐから当該ダイアライザ３の血液導入口３ａまでの間を満たすことができる。
【００４１】
更に、図６で示すように、複式ポンプを駆動させて透析液導入ラインＬａから透析液流路に透析液を導入するとともに、その透析液を透析液導出口３ｄを介して透析液排出ラインＬｂから排出させつつ当該透析液をその流路内で充填させる（これを「ガスパージ工程」と呼ぶ）。このガスパージ工程を経ることにより、透析液流路内は、透析液で満たされた状態となる。而して、ダイアライザ３の透析液流路内における気泡（エア）は、透析液導出口３ｄから透析液排出ラインＬｂを介して排出されることとなる。
【００４２】
尚、図６では、血液ポンプ４を停止させるとともに、電磁弁Ｖ５及びＶ６を開状態としつつ他の電磁弁（Ｖ１〜Ｖ４及びＶ７）を閉状態とした一例を示したが、電磁弁Ｖ１及びＶ７を開状態とし、血液ポンプ４を駆動させて血液回路内の液体を循環しながら「ガスパージ工程」を行うことも可能である。血液回路内の液体を循環しながら「ガスパージ工程」を行うことで、次工程への移行がスムーズに行われる。
【００４３】
上記ガスパージ工程の終了後、図７に示すように、電磁弁Ｖ５、Ｖ６を閉状態（電磁弁Ｖ２の閉状態も維持される）とするとともに、電磁弁Ｖ１、Ｖ７を開状態とし、血液ポンプ４を正転駆動させることにより、閉鎖回路内で生理食塩水を循環させる。このように、血液ポンプ４を駆動させ、充填されたプライミング液を循環させることにより、流路内に残った気泡も循環させ、動脈側ドリップチャンバ５や静脈側ドリップチャンバ６でトラップ（捕集）させるようにすることができる（これを「循環工程」と呼ぶ）。
【００４４】
続いて、図８に示すように、電磁弁Ｖ２及びＶ４を開状態とし、血液ポンプ４を正転駆動させることにより、収容手段７内の生理食塩水（プライミング液）を再び血液回路内へ供給させつつ静脈側ドリップチャンバ６から延設されたオーバーフローライン９から過剰な生理食塩水を排出させる。尚、電磁弁Ｖ１、Ｖ７は閉状態とされている。これにより、収容手段７内の新鮮な生理食塩水にて、連結部Ｐから動脈側ドリップチャンバ５、ダイアライザ３を介して静脈側ドリップチャンバ６に至る経路を確実に洗浄することができる（これを「第１洗浄工程」と呼ぶ）。
【００４５】
そして、図９に示すように、血液ポンプ４を停止させ、電磁弁Ｖ１、Ｖ７を開状態とすることにより、収容手段７内の生理食塩水（プライミング液）を、その落差により生じる自重（落差圧）にて、静脈側ドリップチャンバ６まで至らせ、その上部から延設されたオーバーフローライン９から排出させる。これにより、収容手段７内の新鮮な生理食塩水にて、連結部Ｐからダイアライザ３を介さず静脈側ドリップチャンバ６に至る経路を確実に洗浄することができる（これを「第２洗浄工程」と呼ぶ）。
【００４６】
そして最後に、図１０に示すように、電磁弁Ｖ４を閉状態とするとともに、電磁弁Ｖ３を開状態とし、収容手段７内の生理食塩水（プライミング液）を、その落差により生じる自重（落差圧）にて、ダイアライザ３を経由して動脈側ドリップチャンバ５まで至らせ、その上部から延設されたオーバーフローライン８から排出させる。これにより、ダイアライザ３の血液導入口３ａ近傍に残留した気泡をオーバーフローライン８から排出させることができる（これを「ヘッダ気泡抜き工程」と呼ぶ）。
【００４７】
以上の工程（予プライミング工程、第１プライミング工程、落差充填工程、第２プライミング工程、ガスパージ工程、循環工程、第１洗浄工程、第２洗浄工程、ヘッダ気泡抜き工程）を経ることにより、治療の際に血液や透析液等が流通する部位の洗浄・プライミングを行うことができ、気泡を確実に外部へ排出させることができる。更に、本実施形態においては、全てのプライミング工程に亘り、ダイアライザ３の血液導入口３ａが上方を向いた状態にて行われるので、当該ダイアライザ３の上下反転作業を不要とし、プライミング工程を容易に自動化させることができるとともに、ダイアライザ３における素早く且つ確実な気泡抜きを行わせることができる。
【００４８】
特に、本実施形態によれば、少なくとも動脈側血液回路１における連結部Ｐからダイアライザ３の血液導入口３ａまでの間を満たす第１プライミング工程に続き、プライミング液供給ラインＬｃからのプライミング液（生理食塩水）を血液回路に導く第２プライミング工程が行われるので、生理食塩水（プライミング液）がプライミング液供給ラインＬｃを介して血液回路内に導かれる際、ダイアライザ３の血液流路に空気が混入してしまうことが回避される。
【００４９】
また、第１プライミング工程及び第２プライミング工程等を経た後、血液ポンプ４を駆動させ、充填されたプライミング液を循環させる（循環工程を経る）ので、気泡除去をより確実に行わせることができる。更に、動脈側血液回路１の途中に動脈側ドリップチャンバ５が接続されるとともに、血液回路の何れかの部位に形成されて内部の空気を排出可能な排出口が当該動脈側ドリップチャンバ５から延設されたオーバーフローライン８に形成されたので、動脈側ドリップチャンバ５を有した既存の血液回路をほぼそのまま流用して本発明に係る血液浄化装置（透析装置）とすることができる。
【００５０】
また更に、動脈側ドリップチャンバ５から延設されたオーバーフローライン８の流路を任意開閉可能な弁手段としての電磁弁Ｖ３を具備したので、排出口（本実施形態においてはオーバーフローライン８先端の開口）からの空気の排出を任意タイミングで行わせることができる。また、例えばプライミングが終了した後において気泡がダイアライザ３の血液導入口３ａ近傍に残存している場合であっても、当該電磁弁Ｖ３（弁手段）を開状態としつつプライミング液供給ラインＬｃから生理食塩水（プライミング液）を供給すれば（即ち、ヘッダ気泡抜き工程を経れば）、当該残存した気泡を容易に排出させることができる。
【００５１】
本実施形態において、気泡をよりスムーズに外部に排出すべく、少なくとも動脈側ドリップチャンバ５は、内部にメッシュを具備していないものを使用するのが好ましい。また、動脈側ドリップチャンバ５や静脈側ドリップチャンバ６がその上部から圧モニタライン（空気層側の圧力を検出するためのライン）等が延設されている場合、オーバーフローライン８、９の基端を当該圧モニタラインより下方まで落とし込み、プライミング液（生理食塩水）のオーバーフロー時、当該圧モニタライン側へ流れ込まないよう構成するのが好ましい。
【００５２】
以上、本実施形態について説明したが、本発明はこれに限定されるものではなく、例えば第１プライミング工程の後に予プライミング工程を行うもの、第２プライミング工程の後に落差充填工程を行うもの、ガスパージ工程、循環工程、第１洗浄工程、第２洗浄工程及びヘッダ気泡抜き工程の順番を種々変更したもの、或いは循環工程、第１洗浄工程、第２洗浄工程及びヘッダ気泡抜き工程の何れかを任意省略させたものとしてもよい。
【００５３】
また、上記実施形態においては、第１プライミング工程において、ダイアライザ３の血液流路内の充填液のみを動脈側血液回路１側へ導いているものであるが、血液ポンプ４の逆転駆動時、透析液を透析液流路から血液流路側へ逆濾過させ、その透析液及び充填液を例えば静脈側ドリップチャンバ６まで導くようにしてもよい。この場合、静脈側ドリップチャンバ６から延設されたオーバーフローライン９に排出口（血液回路の何れかの部位に形成されて内部の空気を排出可能なもの）が形成されることとなる。
【００５４】
そして、ダイアライザ３の血液導入口３ａから動脈側血液回路１を介して静脈側ドリップチャンバ６に至る経路が充填液及び該充填液を含む透析液で充填された後、血液ポンプ４を正転駆動させ、収容手段７内の生理食塩水（プライミング液）をプライミング液供給ラインＬｃを介して血液回路内に導き、ダイアライザ３の血液導出口３ｂから静脈側ドリップチャンバ６に至る経路をプライミング液にて充填させるようにしてもよい。
【００５５】
尚、上記の如く透析液流路から透析液を逆濾過させるものに代え、逆濾過を行わせず、代わりにプライミング液供給ラインＬｃからの生理食塩水を透析液流路側に補充（正濾過）させるものとしてもよい。即ち、透析液を逆濾過しない場合、充填液は透析液流路から血液流路側に導かれ、当該透析液流路側の充填液は専ら減少してしまうので、プライミング液供給ラインＬｃからの生理食塩水にてこれを補充することが可能なのである。
【００５６】
更に、上記実施形態においては、血液回路内の空気を排出する排出口が動脈側ドリップチャンバ５から延設されたオーバーフローライン８に形成されているが、当該排出口は、プライミング時に血液回路内の空気を排出可能であれば、血液回路の何れかの部位に形成されていてもよい。例えば、図１１に示すように、動脈側血液回路１の所定部位から分岐ライン８’を分岐させ、その途中に弁手段としての電磁弁Ｖ３を配設するとともに、先端の開口が血液回路の内部の空気を排出可能な排出口としてもよい。
【００５７】
この場合、分岐ライン８’は、Ｔ管やＹ管、３方活栓などの分岐管にて分岐させるものであってもよいし、或いは動脈側血液回路１の途中に接続されたゴムボタンなどのアクセスポートに接続されたラインであってもよい。かかる実施形態によれば、動脈側ドリップチャンバを不要とすることができ、当該動脈側ドリップチャンバの液面レベルの調整作業等を不要とすることができる。尚、分岐ライン８’の先端にヘパリンポンプ（インフュージョンポンプ或いはシリンジポンプ等）を接続し、当該ヘパリンポンプにて血液流路内の充填液を吸い上げるよう構成してもよい。
【００５８】
また更に、本実施形態においては、収容手段７からプライミング液としての生理食塩水をその自重（落差圧）にて供給しているが、プライミング液供給ラインＬｃにポンプ等の送液手段を設置して生理食塩水を供給してもよい。さらに、図１２に示すように、透析液導入ラインＬａから動脈側血液回路１（コネクタｃから血液ポンプ４の間の位置）までプライミング液供給ラインＬｃを延設させ、血液回路内にプライミング液としての透析液を供給するようにしてもよい。尚、この場合、プライミング液供給ラインＬｃにフィルタを介在させて構成するのが好ましく、或いは図１３に示すように、動脈側ドリップチャンバ５がなく分岐ライン８’が延設されたものに適用してもよい。然るに、プライミング液は、他のもの（例えば種々の電解質液等）としてもよい。
【００５９】
尚、本実施形態においては、透析治療時に用いられる透析装置に適用しているが、患者の血液を体外循環させつつ浄化し得る他の装置（例えば血液濾過透析法、血液濾過法、ＡＦＢＦで使用される血液浄化装置、血漿吸着装置など）に適用してもよい。
【産業上の利用可能性】
【００６０】
治療前のプライミング時、動脈側血液回路先端と静脈側血液回路先端とを接続して連通可能とされるとともに、血液回路の何れかの部位に形成されて内部の空気を排出可能な排出口を具備し、且つ、前記血液浄化手段の血液導入口が上方を向いた状態で、当該血液浄化手段の血液流路に充填された充填液を当該血液導入口を介して動脈側血液回路側に導くとともに、その充填液又は該充填液を含む液体で、少なくとも動脈側血液回路における前記プライミング液供給ラインと動脈側血液回路との連結部から当該血液浄化手段の血液導入口までの間を満たす第１プライミング工程と、血液浄化手段の血液導入口が上方を向いた状態を維持しつつ血液ポンプを正転駆動させ、プライミング液供給ラインからのプライミング液を血液回路に導く第２プライミング工程と、血液浄化手段の血液導入口が上方を向いた状態を維持しつつプライミング液供給ラインからのプライミング液を動脈側血液回路先端と静脈側血液回路先端との接続部を介して当該静脈側血液回路に導いて充填させる充填工程と、血液浄化手段の血液導入口が上方を向いた状態を維持しつつプライミング液供給ラインからのプライミング液を血液浄化手段の透析液流路に導いて充填させるガスパージ工程とが行われる血液浄化装置及びそのプライミング方法であれば、他の形態及び用途のものにも適用することができる。
【図面の簡単な説明】
【００６１】
【図１】本発明の実施形態に係る透析装置（血液浄化装置）を示す模式図
【図２】同透析装置による予プライミング工程が行われている状態を示す模式図
【図３】同透析装置による第１プライミング工程が行われている状態を示す模式図
【図４】同透析装置による落差充填工程が行われている状態を示す模式図
【図５】同透析装置による第２プライミング工程が行われている状態を示す模式図
【図６】同透析装置によるガスパージ工程が行われている状態を示す模式図
【図７】同透析装置による循環工程が行われている状態を示す模式図
【図８】同透析装置による第１洗浄工程が行われている状態を示す模式図
【図９】同透析装置による第２洗浄工程が行われている状態を示す模式図
【図１０】同透析装置によるヘッダ気泡抜き工程が行われている状態を示す模式図
【図１１】本発明の他の実施形態に係る透析装置を示す模式図
【図１２】本発明の他の実施形態に係る透析装置を示す模式図
【図１３】本発明の他の実施形態に係る透析装置を示す模式図
【図１４】従来の透析装置によるプライミング工程（血液流路側）が行われている状態を示す模式図
【図１５】従来の透析装置によるプライミング工程（透析液流路側）が行われている状態を示す模式図
【符号の説明】
【００６２】
１    動脈側血液回路
２    静脈側血液回路
３    ダイアライザ（血液浄化手段）
４    血液ポンプ
５    動脈側ドリップチャンバ
６    静脈側ドリップチャンバ
７    収容手段
８    オーバーフローライン（排出口）
９    オーバーフローライン
Ｌａ  透析液導入ライン
Ｌｂ  透析液排出ライン
Ｌｃ  プライミング液供給ライン
Ｖ３  電磁弁（弁手段）
【図１】
0005192241.tif 000002
【図２】
0005192241.tif 000003
【図３】
0005192241.tif 000004
【図４】
0005192241.tif 000005
【図５】
0005192241.tif 000006
【図６】
0005192241.tif 000007
【図７】
0005192241.tif 000008
【図８】
0005192241.tif 000009
【図９】
0005192241.tif 000010
【図１０】
0005192241.tif 000011
【図１１】
0005192241.tif 000012
【図１２】
0005192241.tif 000013
【図１３】
0005192241.tif 000014
【図１４】
0005192241.tif 000015
【図１５】
0005192241.tif 000016